(57)【要約】【課題】固形状の被乾燥物が擦れてしまうことを防止して乾燥することができる乾燥機を提供すること。【解決手段】乾燥機１は、固形状の複数の枕４を収容し、複数の枕４を縦列状態で搬送可能な収容室３と、枕４を吊り下げるフック７および枕ハンガー２１と、複数のフック７および枕ハンガー２１を枕４の縦列方向Ａに沿って移動させるチェーンコンベア５と、枕４が乾燥するように収容室３に乾燥風を供給するファン９およびファンモータ１０とを有する。フック７は、チェーンコンベア５に取付けられてチェーンコンベア５に垂下されており、フック７には枕ハンガー２１が吊り掛けられる。枕ハンガー２１は、枕４を載置する載置台枠部材２２、２３と、枕４を載置台枠部材２２、２３に保持する側部保持枠部材２４、２５および上部保持枠部材２６と、フック７に吊り掛けられる鉤部２７とを含んで構成される。【選択図】図１
2019000147.tif 000002
【特許請求の範囲】
【請求項１】
固形状の複数の被乾燥物を収容し、前記複数の被乾燥物を縦列状態で搬送可能な収容室と、
前記被乾燥物を吊り下げる複数の吊り下げ具と、
前記複数の吊り下げ具を前記被乾燥物の縦列方向に沿って移動させる移動部材と、
前記被乾燥物が乾燥するように前記収容室に乾燥風を供給する乾燥風供給部材とを備えた乾燥機であって、
前記吊り下げ具が、前記移動部材に取付けられて前記移動部材に垂下された固定吊り部材と、前記固定吊り部材に吊り掛けられる被乾燥物吊り部材とを含んで構成され、
前記被乾燥物吊り部材が、前記被乾燥物を載置する載置部と、前記被乾燥物を前記載置部に保持する保持部と、前記固定吊り部材に吊り掛けられる吊り掛け部とを含んで構成されることを特徴とする乾燥機。
【請求項２】
前記固定吊り部材と前記被乾燥物吊り部材とが別体に設けられており、
前記吊り掛け部が、前記固定吊り部材に着脱自在に設けられていることを特徴とする請求項１に記載の乾燥機。
【請求項３】
前記被乾燥物吊り部材は、他の被乾燥物吊り掛け部の前記吊り掛け部が吊り掛けられる被吊り掛け部を有し、
前記被乾燥物吊り部材は、前記吊り掛け部が前記被吊り掛け部に吊り掛けられることにより、前記収容室内において上下方向に並んで吊り下げられることを特徴とする請求項１または請求項２に記載の乾燥機。
【請求項４】
前記載置部は、所定の間隔を隔てて対向する一対の載置台枠部材を有し、
前記保持部は、前記一対の載置台枠部材の両端からそれぞれ立ち上がる一対の側部保持枠部材と、一対の前記側部保持枠部材の一方の上部から一対の前記側部保持枠部材の他方に向かって延びる上部保持枠部材とを有し、
前記吊り掛け部は、前記上部保持枠部材から上方に突出し、前記固定吊り部材に吊り掛けられる鉤部を有することを特徴とする請求項１から請求項３のいずれか１項に記載の乾燥機。
【発明の詳細な説明】
【技術分野】
【０００１】
本発明は、移動する被乾燥物に乾燥風を吹き付けて乾燥を行う乾燥機に関する。
【背景技術】
【０００２】
従来、被乾燥物の乾燥を行うことができる乾燥機として、特許文献１に記載されるものが知られている。この乾燥機は、内部に乾燥室を有する外槽と、外槽内に回転自在に配置され、衣類を収容する回転ドラムと、回転ドラムを駆動するモータと、回転ドラムに熱風を送風する送風路とを備えており、乾燥時に回転ドラムを回転させ、回転する回転ドラムに空気を吹き込むことにより、衣類を乾燥する。
【先行技術文献】
【特許文献】
【０００３】
【特許文献１】特開２０１１−２３９９９０号公報
【発明の概要】
【発明が解決しようとする課題】
【０００４】
このような従来の乾燥機にあっては、回転ドラムに収容された衣類を熱風で乾燥するので、回転ドラムの回転時に衣類が回転ドラムの内周面に接触する。これにより、衣類が回転ドラムに摩擦接触して擦れ易い。
【０００５】
また、回転ドラムに収容される衣類は、比較的変形し易いのに対して、例えば、衣類に比べて変形し難い枕等の固形状の寝具を回転ドラムで乾燥する場合には、枕が回転ドラムに摩擦接触すると、擦れて内容物が飛び出る可能性がある。このため、回転ドラム式の乾燥機では枕等の固形状の寝具を乾燥するのに適さない。
【０００６】
本発明は、固形状の被乾燥物が擦れてしまうことを防止して乾燥することができる乾燥機を提供することを目的とする。
【課題を解決するための手段】
【０００７】
上記目的を達成するため、本発明の一態様は、固形状の複数の被乾燥物を収容し、前記複数の被乾燥物を縦列状態で搬送可能な収容室と、前記被乾燥物を吊り下げる複数の吊り下げ具と、前記複数の吊り下げ具を前記被乾燥物の縦列方向に沿って移動させる移動部材と、前記被乾燥物が乾燥するように前記収容室に乾燥風を供給する乾燥風供給部材とを備えた乾燥機であって、前記吊り下げ具が、前記移動部材に取付けられて前記移動部材に垂下された固定吊り部材と、前記固定吊り部材に吊り掛けられる被乾燥物吊り部材とを含んで構成され、前記被乾燥物吊り部材が、前記被乾燥物を載置する載置部と、前記被乾燥物を前記載置部に保持する保持部と、前記固定吊り部材に吊り掛けられる吊り掛け部とを含んで構成されることを特徴とする。
【発明の効果】
【０００８】
本発明によれば、固形状の被乾燥物が擦れてしまうことを防止して乾燥することができる。
【図面の簡単な説明】
【０００９】
【図１】図１は、本発明の一実施の形態に係る乾燥機の正面図である。
【図２】図２は、本発明の一実施の形態に係る乾燥機の平面図である。
【図３】図３は、本発明の一実施の形態に係る乾燥機の分割乾燥機本体の平面図である。
【図４】図４は、本発明の一実施の形態に係る乾燥機のチェーンコンベアおよびフックの側面図である。
【図５】図５は、本発明の一実施の形態に係る乾燥機のチェーンコンベアおよびフックの正面図である。
【図６】図６は、本発明の一実施の形態に係る乾燥機の枕ハンガーの斜視図である。
【図７】図７は、本発明の一実施の形態に係る乾燥機の枕ハンガーの正面図である。
【図８】図８は、本発明の一実施の形態に係る乾燥機の枕ハンガーの側面図である。
【図９】図９は、本発明の一実施の形態に係る乾燥機の枕ハンガーを上下方向に連結した状態を示す図である。
【発明を実施するための形態】
【００１０】
以下、本発明に係る乾燥機の実施の形態について説明する。本実施の形態の乾燥機１は、トンネル状の搬送路に沿って被乾燥物を搬送しながら乾燥を行うものであり、ホテル、病院等で使用された枕、布団、マットレス等の固形状の寝具の乾燥に使用するのに好適である。
【００１１】
以下、本発明に係る乾燥機の実施例について、図面を用いて説明する。
図１から図９は、本発明に係る一実施例の乾燥機を示す図である。
まず、構成を説明する。
図１、図２において、乾燥機１は、図示しない連続洗濯機、脱水機からチェーンコンベアにより送られてくるハンガー掛けされた被乾燥物を、連続して乾燥して仕上げるという連続洗濯設備の一工程を担うものである。
【００１２】
乾燥機１は、筐体からなる乾燥機本体２を備えており、乾燥機本体２の内部には収容室３が設けられている。図２において、乾燥機本体２は、複数の分割乾燥機本体２Ａ、２Ｂ、２Ｃが一体となったものから構成されている。収容室３は、分割乾燥機本体２Ａから２Ｃの内部の連続した空間から構成されている。
【００１３】
図３において、分割された状態の分割乾燥機本体２Ａを示す。乾燥機本体２は、分割乾燥機本体２Ａから２Ｃの数を減らすことや増やすことにより、収容室３の長さ（距離）を変更できる。このため、乾燥機１を設置するスペースの大きさに応じて乾燥機１の大きさを変更することができ、乾燥機１の設置の自由度を向上できる。
【００１４】
収容室３は、複数の被乾燥物を前後方向に並んだ縦列状態で収容可能となっている。分割乾燥機本体２Ａには図示しない入口が形成されており、被乾燥物は、入口を通して収容室３に搬入される。
【００１５】
分割乾燥機本体２Ｃには図示しない出口が形成されており、被乾燥物は、出口を通して収容室３から搬出される。乾燥機本体２は、入口および出口以外は、密閉されており、熱風が外部に漏出することを防止できる。入口および出口は、枕４（図１参照）を乾燥機本体２に搬入および搬出可能な大きさに形成されている。
本実施の形態の被乾燥物は、固形状の寝具から構成される。本実施の形態において、被乾燥物として、枕４を例に説明を行う。
【００１６】
乾燥機本体２の上部には図４に示すチェーンコンベア５が設けられており、チェーンコンベア５は、枕４の縦列方向Ａに沿って延びている。乾燥機本体２の上部にはチェーンガイド６（図５参照）が設けられており、チェーンガイド６は、枕４の縦列方向Ａに沿って延び、チェーンコンベア５の幅方向の両側を摺動自在に支持している。
【００１７】
チェーンコンベア５には複数のフック７が枕４の縦列方向Ａにおいて等間隔で、かつ、枕４の縦列方向Ａと直交する方向Ｂで並んで設けられている。フック７は、チェーンコンベア５に垂下されており、基端部７Ａがチェーンコンベア５に固定されている。フック７には枕ハンガー２１（図６から図８参照）が吊り掛けられる。
【００１８】
チェーンコンベア５は、図示しないモータおよびモータの回転を減速する減速機構によって、チェーンガイド６に支持されながら枕４の縦列方向Ａに周回移動される。これにより、フック７が枕４の縦列方向Ａに移動する。
【００１９】
なお、枕４の縦列方向Ａと枕４の搬送方向とは同一方向であり、枕４は、チェーンコンベア５によって水平方向に移動される。本実施の形態のチェーンコンベア５は、本発明の移動部材を構成する。
【００２０】
図１において、乾燥機本体２には通風室８が設けられている。図２において、通風室８は、複数の通風室８Ａから８Ｃから構成されており、通風室８Ａから８Ｃは、枕４の縦列方向Ａと直交する方向Ｂにおいて分割乾燥機本体２Ａから２Ｃに隣接して設置されている。
【００２１】
通風室８Ａから８Ｃの上部にはそれぞれ一対のファン９およびファンモータ１０が設置されており、ファン９は、ファンモータ１０によって回転駆動される。通風室８Ａ〜８Ｃの下部にはヒータ１３がそれぞれ設けられており、ヒータ１３は、通風室８Ａ〜８Ｃを流れる空気を加熱する。
【００２２】
通風室８Ａから８Ｃの上部と収容室３の上部とはそれぞれ通風口１１を通して連通しており、通風室８Ａから８Ｃの上部と収容室３の下部とはそれぞれ通風口１２を通して連通している。
【００２３】
ファン９が回転駆動されると、通風室８Ａから８Ｃから収容室３に通風口１１を通して風Ｗが流れる。この風は、収容室３から通風口１２を通して通風室８Ａから８Ｃに導入されたときに、ヒータ１３によって加熱されることにより、加熱された熱風である。
通風室８Ａから８Ｃから通風口１１を通して収容室３に流れる熱風は、収容室３を搬送される枕４に吹き付けられることにより、枕４が加熱されて乾燥される。本実施の形態のファン９およびファンモータ１０は、収容室３に乾燥風としての熱風を供給する本発明の乾燥風供給部材を構成する。
【００２４】
乾燥機本体２には図示しない吸気口と排気口とが設けられている。収容室３にはファン９の回転によって吸気孔を通して外気が取り入れられ、収容室３を流れる水蒸気を含んだ熱風は、排気口から外部に排出される。
【００２５】
図６において、枕ハンガー２１は、フック７と別体に設けられており、フック７に引っ掛けられることにより、フック７に吊り下げられる。すなわち、枕ハンガー２１は、フック７に着脱自在に設けられている。
【００２６】
枕ハンガー２１は、パイプ材から構成されている。枕ハンガー２１は、所定の間隔を隔てて対向する一対の載置台枠部材２２、２３と、一対の載置台枠部材２２、２３の両端からそれぞれ立ち上がる一対の側部保持枠部材２４、２５とを有する。ここで、所定の間隔とは、載置台枠部材２２、２３に枕４を載置したときに、枕４が載置台枠部材２２、２３から落下しない間隔である。
【００２７】
側部保持枠部材２４は、載置台枠部材２２、２３の一端からそれぞれ上方に突出する突出部２４Ａ、２４Ｂと、載置台枠部材２２、２３の延びる方向と直交する方向に延び、突出部２４Ａ、２４Ｂを連結する連結枠部材２４Ｃとを有し、突出部２４Ａ、２４Ｂおよび連結枠部材２４Ｃには枕４の一側面が支持される。
【００２８】
側部保持枠部材２５は、載置台枠部材２２、２３の他端からそれぞれ上方に突出する突出部２５Ａ、２５Ｂと、載置台枠部材２２、２３の延びる方向と直交する方向に延び、突出部２５Ａ、２５Ｂを連結する連結枠部材２５Ｃとを有し、突出部２５Ａ、２５Ｂおよび連結枠部材２５Ｃには枕４の他側面が支持される。
【００２９】
枕ハンガー２１は、側部保持枠部材２４の上部から側部保持枠部材２５に向かって延びる上部保持枠部材２６と、上部保持枠部材２６から上方に突出し、フック７に吊り掛けられる鉤部２７と、載置台枠部材２２、２３の延びる方向と直交する方向に延び、載置台枠部材２２、２３を連結する連結枠部材２８とを有する。
上部保持枠部材２６は、側部保持枠部材２４の突出部２４Ａ、２４Ｂの上部から側部保持枠部材２５に向かって延びる延出部２６Ａ、２６Ｂと、載置台枠部材２２、２３の延びる方向と直交する方向に延び、延出部２６Ａ、２６Ｂの延びる方向の先端を連結する連結枠部材２６Ｃとを有する。延出部２６Ａ、２６Ｂおよび連結枠部材２６Ｃには枕４の上面が支持される。
【００３０】
鉤部２７は、連結枠部材２６Ｃから上方に突出し、載置台枠部材２２、２３の延びる方向と直交する方向に離隔する突出部２７Ａ、２７Ｂと、載置台枠部材２２、２３の延びる方向と直交する方向に延び、突出部２７Ａ、２７Ｂに連続する引っ掛け部２７Ｃとを有し、引っ掛け部２７Ｃがフック７に引っ掛けられる。
引っ掛け部２７Ｃの両端と突出部２７Ａ、２７Ｂとは湾曲部２７Ｄ、２７Ｅによって連結されており、湾曲部２７Ｄ、２７Ｅは、上方に湾曲し、下方側が開口している。
【００３１】
枕４が枕ハンガー２１に保持された状態において、枕４は、載置台枠部材２２、２３に載置されて一側面、他側面および上面が側部保持枠部材２４、２５および上部保持枠部材２６に支持される。
【００３２】
枕４が側部保持枠部材２４、２５および上部保持枠部材２６に支持されるとは、枕４が側部保持枠部材２４、２５および上部保持枠部材２６に接触して支持されてもよく、枕４が前後方向に動いたときに、枕４が側部保持枠部材２４、２５および上部保持枠部材２６が接触されることを含む。
これにより、大きさの異なる枕４を枕ハンガー２１がフック７に吊り下げて搬送するときに、枕４が枕ハンガー２１から落下することが防止される。
【００３３】
鉤部２７の湾曲部２７Ｄ、２７Ｅは、下方側が開口されているので、他の枕ハンガー２１の連結枠部材２８に引っ掛けられる。これにより、枕ハンガー２１は、上下方向に並んで吊り下げられる（図９参照）。例えば、枕ハンガー２１が上下三段に吊り下げられる場合には、図１に示すように、３つの枕４を上下方向に並べて搬送方向に縦列させることができる。
【００３４】
本実施の形態のフック７は、本発明の固定吊り下げ部材を構成し、枕ハンガー２１は、本発明の被乾燥物吊り部材を構成する。本実施の形態のフック７および枕ハンガー２１は、本発明の吊り下げ具を構成する。
【００３５】
本実施の形態の載置台枠部材２２、２３は、本発明の載置部を構成し、側部保持枠部材２４、２５および上部保持枠部材２６は、本発明の保持部を構成する。本発明の鉤部２７は、本発明の吊り掛け部を構成し、連結枠部材２８は、本発明の被吊り掛け部を構成する。
【００３６】
次に、作用を説明する。
図１において、乾燥機本体２を流れる熱風や枕４を乾燥後の風を符号Ｗで示す。
枕４を保持する枕ハンガー２１は、チェーンコンベア５により連続洗濯機、脱水機を経て乾燥機１に搬送される。鉤部２７の湾曲部２７Ｄ、２７Ｅを他の枕ハンガー２１の連結枠部材２８に引っ掛けられることにより、例えば、図１に示すように、枕ハンガー２１が三段に並べられる場合には、３つの枕４を保持した３つの枕ハンガー２１が図示しないチェーンコンベアによって乾燥機１に搬送されてくる。
【００３７】
乾燥機１に搬送される枕ハンガー２１は、最上位の枕ハンガー２１の鉤部２７の引っ掛け部２７Ｃがフック７に引っ掛けられて収容室３に搬入される。また、後続する枕ハンガー２１も同様に最上位の枕ハンガー２１の鉤部２７の引っ掛け部２７Ｃがフック７に引っ掛けられて収容室３に搬入される。これにより、枕ハンガー２１および枕４が上下方向に三段に並べられて収容室３に縦列される。
【００３８】
チェーンコンベア５が周回移動すると、枕ハンガー２１が収容室３を縦列方向Ａに移動する。これにより、枕４が枕ハンガー２１に保持された状態で縦列方向Ａに搬送される。枕４の搬送中には通風室８Ａ〜８Ｃにおいてヒータ１３で加熱された熱風Ｗが、ファン９によって通風口１１を通して収容室３に導入される。
【００３９】
この熱風Ｗは、枕ハンガー２１に保持されて収容室３を搬送される枕４に吹き付けられる。これにより、枕４が乾燥される。複数の枕４が乾燥されるにつれて収容室３の内部の湿度が高くなるが、風Ｗと共に蒸気が排気口から排気される。これにより、収容室３の内部の湿度が高くなることはない。
【００４０】
このように本実施の形態の乾燥機１は、固形状の複数の枕４を収容し、複数の枕４を縦列状態で搬送可能な収容室３と、枕４を吊り下げるフック７および枕ハンガー２１と、複数のフック７および枕ハンガー２１を枕４の縦列方向Ａに沿って移動させるチェーンコンベア５と、枕４が乾燥するように収容室３に乾燥風を供給するファン９およびファンモータ１０とを有する。
【００４１】
フック７は、チェーンコンベア５に取付けられてチェーンコンベア５に垂下されており、フック７には枕ハンガー２１が吊り掛けられる。枕ハンガー２１は、枕４を載置する載置台枠部材２２、２３と、枕４を載置台枠部材２２、２３に保持する側部保持枠部材２４、２５および上部保持枠部材２６と、フック７に吊り掛けられる鉤部２７とを含んで構成される。
【００４２】
これにより、固形状の枕４を周囲と被接触状態で乾燥することができ、枕４が擦れてしまうことを防止できる。このため、枕４から内容物が飛び出ることを防止でき、枕４を保護することができる。
【００４３】
また、複数の枕４を収容室３に収容し、縦列方向Ａに移動させながら乾燥できるので、単位時間当たりに乾燥できる枕４の数を増大できる。このため、枕４の乾燥処理性能を向上できる。
【００４４】
これに加えて、乾燥機１は、枕４を保持する独自の構成を有する枕ハンガー２１を有するので、枕４を搬送しながら容易に乾燥することができる。このため、衣類等に比べて変形し難い固形状の枕４を容易に乾燥することができる。
【００４５】
また、本実施の形態の乾燥機１によれば、フック７と枕ハンガー２１とが別体に設けられており、鉤部２７がフック７に着脱自在に設けられている。これにより、乾燥機１に枕４が搬入されるときに、枕ハンガー２１と枕４とを一体で搬入し、鉤部２７の引っ掛け部２７Ｃをフック７に引っ掛けることで枕ハンガー２１に装着できる。
【００４６】
このため、乾燥機１に枕４を搬入するときに、枕ハンガー２１に枕４を装着する作業を不要にして、脱水機から乾燥機１に枕４を移送することができる。この結果、単位時間当たりに乾燥できる枕４の数をより効果的に増大でき、枕４の乾燥処理性能をより効果的に向上できる。
【００４７】
また、本実施の形態の乾燥機１によれば、枕ハンガー２１が、他の枕ハンガー２１の鉤部２７が吊り掛けられる連結枠部材２８を有し、鉤部２７が連結枠部材２８に吊り掛けられることにより、収容室３内において上下方向に並んで吊り下げられる。
【００４８】
これにより、収容室３により多くの枕４を収容して乾燥することができる。このため、単位時間当たりに乾燥できる枕４の数をより効果的に増大でき、枕４の乾燥処理性能をより効果的に向上できる。
【００４９】
また、本実施の形態の枕ハンガー２１によれば、載置台枠部材２２、２３が、所定の間隔を隔てて対向しており、側部保持枠部材２４、２５が、載置台枠部材２２、２３の両端からそれぞれ立ち上がり、上部保持枠部材２６が、載置台枠部材２２の上部から載置台枠部材２３に向かって延びている。これに加えて、鉤部２７が、上部保持枠部材２６から上方に突出し、フック７に吊り掛けられる。
【００５０】
これにより、載置台枠部材２２、２３に載置される枕４を、側部保持枠部材２４、２５および上部保持枠部材２６によって容易に支持することができ、枕４が枕ハンガー２１から落下することを防止しつつ、チェーンコンベア５によって確実に搬送できる。
【００５１】
また、載置台枠部材２２、２３、側部保持枠部材２４、２５および上部保持枠部材２６の間のスペースに枕４を露出させることができるので、熱風Ｗが吹きつけられる枕４の表面積を増大させることができ、枕４の乾燥時間を短縮させることができる。このため、単位時間当たりに乾燥できる枕４の数をより効果的に増大でき、枕４の乾燥処理性能をより効果的に向上できる。
【００５２】
なお、本実施の形態の枕ハンガー２１において、チェーンコンベア５には２つのフック７が枕４の縦列方向Ａにおいて等間隔で、かつ、枕４の縦列方向Ａと直交する方向Ｂで並んで設けられているが、これに限定されるものではない。フックは、１つでもよく、枕４の縦列方向Ａと直交する方向Ｂに３つ以上で並んで設けられても良い。
【００５３】
また、本実施の形態の乾燥機１は、被乾燥物として枕４を用いているが、被乾燥物としては、枕４以外の固形状の寝具、例えば、引き布団、掛け布団、毛布等を用いてもよい。また、寝具に限定されるものではなく、被乾燥物として、固形状のクッション、ぬいぐるみ等を用いてもよく、これらに限定されるものでもない。
【００５４】
上述の通り、本発明の実施の形態を開示したが、当業者によっては本発明の範囲を逸脱することなく変更が加えられうることは明白である。すべてのこのような修正及び等価物が次の請求項に含まれることが意図されている。
【産業上の利用可能性】
【００５５】
本発明に係る乾燥機は、寝具等の固形状の被乾燥物を乾燥させる業務用の乾燥機、連続して洗濯を行う連続洗濯機によって洗濯された洗濯物を乾燥する乾燥機に利用可能である。
【符号の説明】
【００５６】
１  乾燥機
３  収容室
４  枕（被乾燥物）
５  チェーンコンベア（移動部材）
７  フック（吊り下げ具、固定吊り部材）
９  ファン（乾燥風供給部材）
１０  ファンモータ（乾燥風供給部材）
２１  枕ハンガー（吊り下げ具、被乾燥物吊り部材）
２２、２３  載置台枠部材（載置部）
２４、２５  側部保持枠部材（保持部）
２６  上部保持枠部材（保持部）
２７  鉤部（吊り掛け部）
２８  連結枠部材（被吊り掛け部）
【図１】
2019000147.tif 000003
【図２】
2019000147.tif 000004
【図３】
2019000147.tif 000005
【図４】
2019000147.tif 000006
【図５】
2019000147.tif 000007
【図６】
2019000147.tif 000008
【図７】
2019000147.tif 000009
【図８】
2019000147.tif 000010
【図９】
2019000147.tif 000011